(57)【要約】アンチ・ピッキングのシリンダ錠は、錠本体（１０）と、キー溝（１６）を区画形成するプラグ（１４）と、各々が外側の本体ピン（２４）および内側の本体ピン（３０）とを含む複数のテレスコーピック本体ピンのアセンブリ（２２）と、各々が外側のプラグピン（４４）および内側のプラグピン（４６）とを含む複数のテレスコーピックプラグピンのアセンブリ（４２）と、を含み、該外側のプラグピンおよび該外側の本体ピンの少なくとも一つは、少なくとも一つの内側に面する凹部（９０）を有して形成されていて、該凹部は、該錠のピッキングが試みられているとき、該内側のプラグピン（４６）および該内側の本体ピン（３０）の少なくとも一つの部分が該少なくとも一つの凹部（９０）に係合する傾向があり、しかして、該内側のプラグピン（４６）および該内側の本体ピン（３０）の少なくとも一つに、少なくとも一つの方向に共に動くことを引き起こさせるように、構成され且つ配置されていることを特徴とする。
2005530072.tif 000002
【特許請求の範囲】
【請求項１】
プラグを回転可能に収容するための穴を区画形成し、複数の本体ピン穴を中に形成している錠本体と、
前記穴に回転可能に配置され、キーを受け入れるために適合させられているキー溝を区画形成し、前記複数の本体ピン穴と合致するために配置された複数のプラグピン穴を中に形成しているプラグと、
前記複数の本体ピン穴に少なくとも部分的に配置され、各々が外側の本体ピンと前記外側の本体ピンに形成される穴に配置される内側の本体ピンとを備える、複数のテレスコーピック本体ピンのアセンブリと、
前記複数のプラグピン穴に少なくとも部分的に配置され、各々が外側のプラグピンと前記外側のプラグピンに形成される穴に配置される内側のプラグピンとを備える、複数のテレスコーピックプラグピンのアセンブリと、
を備え、
前記外側のプラグピンおよび前記外側の本体ピンの少なくとも一つは、少なくとも一つの内側に面する凹部を有して形成されていて、該凹部は、前記錠のピッキングが試みられているとき、前記内側のプラグピンおよび前記内側の本体ピンの少なくとも一つの部分が前記少なくとも一つの凹部に係合する傾向があり、しかして、前記内側のプラグピンおよび前記内側の本体ピンの少なくとも一つに、少なくとも一つの方向に共に動くことを引き起こさせるように構成され且つ配置されていることを特徴とするアンチ・ピッキングのシリンダ錠。
【請求項２】
前記少なくとも一つの凹部は、外側のプラグピンに形成されていることを特徴とする請求項１に記載のアンチ・ピッキングのシリンダ錠。
【請求項３】
前記少なくとも一つの凹部は、外側の本体ピンに形成されていることを特徴とする請求項１に記載のアンチ・ピッキングのシリンダ錠。
【請求項４】
前記少なくとも一つの凹部は、複数の相互に離隔された凹部を備えることを特徴とする請求項１から３のいずれかに記載のアンチ・ピッキングのシリンダ錠。
【請求項５】
前記少なくとも一つの凹部は、少なくとも一つの内側のピン用の係合段部を区画形成する環状凹部を備えることを特徴とする請求項１から４のいずれかに記載のアンチ・ピッキングのシリンダ錠。
【請求項６】
前記内側のプラグピンおよび前記内側の本体ピンの少なくとも一つの前記部分は、突出部を備えることを特徴とする請求項１から５のいずれかに記載のアンチ・ピッキングのシリンダ錠。
【請求項７】
前記内側のプラグピンおよび前記内側の本体ピンの少なくとも一つの前記部分は、環状の突出部を備えることを特徴とする請求項１から６いずれかに記載のアンチ・ピッキングのシリンダ錠。
【請求項８】
前記突出部は、少なくとも一つの内側の凹部用の係合段部を区画形成することを特徴とする請求項６又は７に記載のアンチ・ピッキングのシリンダ錠。
【発明の詳細な説明】
【技術分野】
【０００１】
本発明は、概して錠に関し、さらに特にテレスコーピックピンを有するシリンダ錠に関する。
【背景技術】
【０００２】
以下の米国特許は、該技術の現在の状況を示すと見られている。
【０００３】
【特許文献１】米国特許第４，１４２，３８９号明細書
【特許文献２】米国特許第５，１２３，２６８号明細書
【特許文献３】米国特許第５，５２０，０３５号明細書
【特許文献４】米国特許第５，８３９，３０８号明細書
【発明の開示】
【０００４】
本発明は、テレスコーピックピンを有する改善されたシリンダ錠を提供しようとする。
【０００５】
しかして、本発明の好ましい実施形態に従って、プラグを回転可能に収容するための穴を区画形成し、複数の本体ピン穴を中に形成している錠本体と、該穴に回転可能に配置され、キーを受け入れるために適合させられているキー溝を区画形成し、該複数の本体ピン穴と合致するために配置された複数のプラグピン穴を中に形成しているプラグと、該複数の本体ピン穴に少なくとも部分的に配置され、各々が外側の本体ピンと該外側の本体ピンに形成される穴に配置される内側の本体ピンとを含む複数のテレスコーピック本体ピンのアセンブリと、該複数のプラグピン穴に少なくとも部分的に配置され、各々が外側のプラグピンと該外側のプラグピンに形成される穴に配置される内側のプラグピンとを含む複数のテレスコーピックプラグピンのアセンブリと、を含み、該外側のプラグピンおよび該外側の本体ピンの少なくとも一つは、少なくとも一つの内側に面する凹部を有して形成されていて、該凹部は、該錠のピッキングが試みられているとき、該内側のプラグピンおよび該内側の本体ピンの少なくとも一つの部分が該少なくとも一つの凹部に係合する傾向があり、しかして、該内側のプラグピンおよび該内側の本体ピンの少なくとも一つに、少なくとも一つの方向に共に動くことを引き起こさせるように構成され且つ配置されていることを特徴とするアンチ・ピッキングのシリンダ錠が提供される。
【０００６】
好ましくは、該少なくとも一つの凹部は、外側のプラグピンに形成されている。その代案としては、該少なくとも一つの凹部は、外側の本体ピンに形成されている。
【０００７】
別の好ましい実施形態に従って、該少なくとも一つの凹部は、複数の相互に離隔された凹部を含む。好ましくは、該少なくとも一つの凹部は、少なくとも一つの内側のピン用の係合段部を区画形成する環状凹部を含む。
【０００８】
別の好ましい実施形態に従って、該内側のプラグピンおよび該内側の本体ピンの少なくとも一つの該部分は、突出部を含む。その代案としては、該内側のプラグピンおよび該内側の本体ピンの少なくとも一つの該部分は、環状の突出部を含む。さらに、該突出部は、少なくとも一つの内側の凹部用の係合段部を区画形成する。
【発明を実施するための最良の形態】
【０００９】
さて、参考は、図１Ａおよび図１Ｂに作り上げられていて、それらは、それぞれ施錠され又は開錠されていて作動している状態における、本発明の好ましい実施形態に従って構成されたおよび機能するシリンダ錠の部分的な説明図である。
【００１０】
図１Ａおよび図１Ｂにおいて理解されるように、穴１２を区画形成する錠本体１０を備えるシリンダ錠が提供されていて、そこにはキー１７（図１Ｂ）を受け入れるように構成されたキー溝１６を区画形成するプラグ１４が回転自在に配置されている。複数の本体ピン穴１８は錠本体１０に形成されていて、対応する複数のプラグピン穴２０は各々が中心軸２１を有し、プラグ１４に形成されていて、キー溝１６に通じている。
【００１１】
本体ピン穴１８に配置されているのは、テレスコーピック本体ピンのアセンブリ２２であり、それらの各々は外側の本体ピン２４を好ましくは備えていて、それは圧縮コイルバネ２６によってバネの負荷がかけられていて、それはバネシート２８に取り付けられている。外側の本体ピン２４の内部に配置されているのは、そしてそれに関連して直線的に移動可能であるのは内側の本体ピン３０であり、それは圧縮コイルバネ３２によって外側の本体ピン２４に対してバネの負荷がかけられていて、それは外側の本体ピン２４のネック部３４に取り付けられている。
【００１２】
プラグピン穴２０に配置されているのは、各々が好ましくは外側のプラグピン４４を備えるテレスコーピックプラグピンのアセンブリ４２であり、そして外側のプラグピン４４の内部に配置されているのは、それに関して直線的に移動可能である、内側のプラグピン４６である。外側の本体ピン２４および外側のプラグピン４４は、それぞれ通常は接する係合表面４８および４９を好ましくは定義する。
【００１３】
図１Ａの拡大図において見られるように、内側の本体ピン３０は、シャンク部分５０を備え、これはその一端部に円錐台ヘッド５２を有している。シャンク部分５０の反対側の端部に形成されているのは、拡張された円筒部分５４であり、これは外側の本体ピン２４の内部の穴５６のよりもわずかにだけ小さい半径を有している。
【００１４】
拡張された円筒部分５４のシャンク部分５０とは違う反対側の側部に、狭められた円筒部分６０で終端させられた円錐台部分５８がある。狭められた円筒部分６０に隣接するのは、第二の拡張された円筒部分６２であり、それは拡張された円筒部分５４と同じ半径を典型的には有するが、拡張された円筒部分５４よりも実質的に小さい厚さを典型的には有する。内側の本体ピン３０は、プラグピンの係合表面６６を定義する円錐台部分６４で成端する。
【００１５】
内側のプラグピン４６はシャンク部分７０を好ましくは備え、これはキー溝１６に面するその一端部に円錐台ヘッド７２を有する。シャンク部分７０の反対側の端部に形成されるのは、拡張された円筒部分７４であり、これは外側のプラグピン４４の内部の穴７６のよりもわずかにだけ小さい半径を有している。拡張された円筒部分７４のシャンク部分７０とは違う反対側の側部に円錐台部分７８があり、これは本体ピンの係合表面８０を定義する。
【００１６】
本発明の好ましい実施形態によれば、環状凹部９０が、拡張された円筒部分７４に隣接する穴７６の内部に面する壁に形成されているが、拡大された円筒部分７４と協調するのではない。以下で詳細に記述されるように、この凹部は、テレスコーピックプラグピンのアセンブリ４２をピッキングする困難性を増すのに有効である。
【００１７】
図１Ａおよび１Ｂの説明図において、多くの異なるプラグ構成が示されていて、類似する又は異なるプラグ構成が所与の錠において用いられても良いし、用いられなくても良いことが理解されるだろう。
【００１８】
さらに、参考は図２Ａおよび２Ｂに作られていて、それらは典型的なピッキング状態でピッキングされている図１Ａおよび１Ｂの錠を示している。
【００１９】
図２Ｂに示されているように、第一ピッキングツール９６は、第二ピッキングツール９８がキー溝１６にはめられていて、矢印９５によって指し示されているようにそれに回転トルクを加え、かくしてプラグ１４に回転トルクを加えている間、外側のプラグピン４４を上げるために用いられる。ピッキングの間の矢印９５の方向へのプラグ１４に対するトルクの印加は、内側の本体ピン３０に、内部の穴５６に対して傾斜させられることを引き起こし、同時に外側のプラグピン４４を上げることは、第二の拡張された円筒部分６２や円錐台部分６４と、凹部９０とが合わさることを引き起こすことが図２Ｂの拡大図において理解される。図２Ｂに示されているように、第二の拡張された円筒部分６２の段部２０２は、凹部９０の対応する段部２０４と係合する。この係合は、錠をピッキングする人に、プラグ１４と本体１０との間のシャーライン９９に、それぞれの外側の本体ピン２４と外側のプラグピン４４との係合表面４８と４９を動かしていることを、誤って思い込むことを引き起こす際、役に立つだろう。
【００２０】
さて、参考は図３Ａ、３Ｂ、および３Ｃに作られていて、それらは、それぞれの施錠された状態、第一および第二の試みられているピッキングの状態における、本発明の好ましい実施形態に従って構成され、そして作動している、第一の様式のテレスコーピックピン機構の断面図である。図３Ａ〜３Ｃに見られるように、テレスコーピックピンのアセンブリ３００は、錠本体３１０の穴３１８およびプラグ３１４の穴３２０に部分的に配置されていることが理解され、キー溝１６へ部分的に延びている。穴３２０の中心軸は、参照番号３２１によって指定されている。
【００２１】
テレスコーピックピンのアセンブリ３００は、テレスコーピック本体ピンのアセンブリ３２２を好ましくは含んでいて、それは部分的に円錐形の外側形状を有する外側の本体ピン３２４を好ましくは備える。外側の本体ピン３２４は、圧縮コイルバネ３２６によってバネの負荷がかけられていて、それはバネシート３２８に取り付けられている。外側の本体ピン３２４の内部に配置されていて、そしてそれに関連して直線的に移動可能であるのは内側の本体ピン３３０であり、これは圧縮コイルバネ３３２によって外側の本体ピン３２４に対してバネの負荷がかけられていて、それは外側の本体ピン３２４のネック部３３４に取り付けられている。
【００２２】
プラグピン穴３２０に配置されているのは、テレスコーピックプラグピンのアセンブリ３４２であり、これは外側のプラグピン３４４を好ましくは備え、外側のプラグピン３４４の内部に配置されていて、それに関して直線的に移動可能であるのは、内側のプラグピン３４６である。外側の本体ピン３２４と外側のプラグピン３４４は、それぞれ通常は接する係合表面３４８および３４９を好ましくは定義する。
【００２３】
内側の本体ピン３３０は、その一端部に円錐台ヘッド３５２を有するシャンク部分３５０を好ましくは備え、それは外側の本体ピン３２４の対応する段部３５３よりも大きな直径を有するような大きさとされている。シャンク部分３５０の反対側の端部に形成されているのは、外側の本体ピン３２４の内部の穴３５６のよりもわずかにだけ小さい半径を有する拡張された円筒部分３５４である。
【００２４】
拡張された円筒部分３５４のシャンク部分３５０とは違う反対側の側部に、狭められた円筒部分３６０で終端する円錐台部分３５８がある。狭められた円筒部分３６０に隣接するのは、第二の拡張された円筒部分３６２であり、これは拡張された円筒部分３５４と同一の半径を典型的には有するが、拡張された円筒部分３５４のよりも実質的に小さい厚さを典型的には有する。内側の本体ピン３３０は、プラグピンの係合表面３６６を定義する円錐台部分３６４で成端する。
【００２５】
内側のプラグピン３４６はシャンク部分３７０を好ましくは備え、これはキー溝１６に面するその一端部に円錐台ヘッド３７２を有する。シャンク部分３７０の反対側の端部に形成されているのは、拡張された円筒部分３７４であり、外側のプラグピン３４４の内部の穴３７６のよりもわずかにだけ小さい半径を有している。拡張された円筒部分３７４のシャンク部分３７０とは違う反対側の側部に円錐台部分３７８があり、これは本体ピンの係合表面３８０を定義する。
【００２６】
本発明の好ましい実施形態によれば、環状凹部３９０が、拡張された円筒部分３７４に隣接する穴３７６の内部に面する壁に形成されているが、拡張された円筒部分３７４と協調するのではない。以下で詳細に記述されるように、この凹部は、テレスコーピックプラグピンのアセンブリ３４２をピッキングする困難性を増すのに有効である。
【００２７】
図３Ｂは、図２Ｂに示されているように、第一ピッキングツール９６は、第二ピッキングツール９８がキー溝１６にはまっていて、矢印３９５によって指し示されているようにそれに回転トルクを加え、かくしてプラグに回転トルクを加えている間、外側のプラグピンを上げるために用いられているときの第一の典型的なピッキング状態を示している。
【００２８】
ピッキングの間の矢印３９５の方向へのプラグ３１４に対するトルクの印加は、プラグ３１４に、矢印３９５によって指し示されているように、そしてＡによって指定されている中心軸３２１の時計回り方向の回転によって指し示されているように、時計回りの方向にわずかに回転することを引き起こすことが図３Ｂにおいて理解される。この回転は、プラグの穴３２０の時計回り方向に面する壁部分３１５と、対応する外側の本体ピン３２４と外側のプラグピン３４４の対応する外側の壁部分３１６と３１７との間に係合を生み出す。この係合は、時計回りの方向にわずかに外側の本体ピン３２４のベース部分３１９を押し、その時計回り方向に面するエッジ３２３に穴３１８の対応する壁部分３２５に係合することを引き起こし、外側の本体ピン３２４の反対向きに面するエッジ３２７と穴３１８の対応する壁部分３２９との間の通常の離隔距離を増加し、しかして、穴３１８に対して外側の本体ピン３２４を傾斜させる。
【００２９】
穴３１８に対する外側の本体ピン３２４の傾斜は、内側の本体ピン３３０に、内部の穴３５６に対して傾斜させられることを引き起こす。同時に、外側のプラグピン３４４を上げることは、第二の拡張された円筒部分３６２および円錐台部分３６４に、凹部３９０と合わさることを引き起こす。図３Ｂに示されているように、第二の拡張された円筒部分３６２の段部３９２は、凹部３９０の対応する段部３９４に係合する。この係合は、錠をピッキングする人に、プラグ３１４と本体３１０との間のシャーライン３９９に、それぞれの外側の本体ピン３２４と外側のプラグピン３４４との係合表面３４８と３４９を動かしていることを、誤って思い込むことを引き起こす際、役に立つだろう。
【００３０】
円錐台ヘッド３５２は、外側の本体ピン３２４の段部３５３に隣接して位置付けられ、そして段部３５３に載っていることが図３Ｂにおいて理解される。
【００３１】
第一ピッキングツール９６（図２Ｂ）は、第二ピッキングツール９８（図２Ｂ）がキー溝１６にはまり、矢印３９５によって指し示されているように、それに回転トルクを加え、かくしてプラグ３１４に回転トルクを加え続け、Ｂによって指定されている中心軸３２１のさらに時計回り方向の回転によって指し示されているようにプラグ３１４の回転を生み出す間、外側のプラグピン３４４を上げるために用いられている、第二のさらなるピッキング状態を図３Ｃは示している。
【００３２】
外側のプラグピン３４４をさらに上げることは、外側の本体ピン３２４および内側の本体ピン３３０に、内側の本体ピン３３０の円錐台ヘッド３５２と外側の本体ピン３２４の段部３５３との係合のために共に上げられることを引き起こすことが図３Ｃにおいて理解される。しかして、図３Ｃに見られるように、外側の本体ピン３２４と外側のプラグピン３４４との通常接しているそれぞれの係合表面３４８と３４９との間の接合部が、本体３１０とプラグ３１４との間のシャーライン３９９に位置するまで上げられたとき、内側の本体ピン３３０は、シャーライン３９９の橋渡しをし、錠の開錠を防止する。
【００３３】
さらに、図３Ｃに見られるように、ピッキングの間の矢印３９５の方向へのプラグ３１４に対するトルクの継続された印加は、プラグ３１４に、矢印３９５によって指し示されているように時計回りの方向にさらに回転することを引き起こす。プラグ穴３２０の時計回り方向に面している壁部分３１５と外側のプラグピン３４４の対応する外側の壁部分３１７との間の係合の結果、さらに時計回り方向に外側のプラグピン３４４を押し、外側のプラグピン３４４と内側の本体ピン３３０の円筒部分３６０とが係合し、凹部３９０内に内側の本体ピン３３０の拡張された円筒部分３６２が完全にはまった状態をもたらし、その結果、内側の本体ピン３３０の円筒部分３５４を外側の本体ピン３２４によって区画形成される穴３５６の面する壁に接触して時計回り方向に無理やり押すことがもたらされる。従って、様々な内側および外側の本体ピンやプラグピンは、互いから空間に関して、軸に関して、そして角に関してオフセットされ、それらの間の外力による係合によって、一緒に摩擦的に拘束されるばかりでなく、一緒に施錠され、しかしてピッキングをますます困難にすることが理解される。
【００３４】
さらに、参考は、図４Ａ、４Ｂおよび４Ｃに作られていて、それらはそれぞれの施錠された、そして試みられているピッキングの状態における、本発明の好ましい実施形態に従って構成され、そして作動している別の様式のテレスコーピックピン機構の断面図である。図４Ａ〜４Ｃに見られるように、テレスコーピックピンのアセンブリ４００は、錠本体４１０の穴４１８に、そしてプラグ４１４の穴４２０に部分的に配置されているのが見られ、キー溝１６へ部分的に延びている。穴４２０の中心軸は、参照番号４２１によって指定されている。
【００３５】
テレスコーピックピンのアセンブリ４００は、テレスコーピック本体ピンのアセンブリ４２２を好ましくは含んでいて、それは部分的に円錐形の外側形状を有する外側の本体ピン４２４を好ましくは備えている。外側の本体ピン４２４は、圧縮コイルバネ４２６によってバネの負荷がかけられていて、それはバネシート４２８に取り付けられている。外側の本体ピン４２４の内部に配置されていて、そしてそれに関連して直線的に移動可能であるのは、内側の本体ピン４３０であり、これは圧縮コイルバネ４３２によって外側の本体ピン４２４に対してバネの負荷がかけられていて、それは外側の本体ピン４２４のネック部４３４に取り付けられている。
【００３６】
プラグピン穴４２０に配置されているのは、テレスコーピックプラグピンのアセンブリ４４２であり、これは外側のプラグピン４４４を好ましくは備え、外側のプラグピン４４４の内部に配置されていて、それに関して直線的に移動可能であるのは、内側のプラグピン４４６である。外側の本体ピン４２４と外側のプラグピン４４４とは、それぞれ通常は接する係合表面４４８および４４９とを好ましくは定義する。
【００３７】
内側の本体ピン４３０は、その一端部に円錐台ヘッド４５２を有するシャンク部分４５０を好ましくは備え、それは外側の本体ピン４２４の対応する段部４５３よりも大きな直径を有するような大きさとされている。シャンク部分４５０の反対側の端部に形成されているのは、外側の本体ピン４２４の内部の穴４５６のよりもわずかにだけ小さい半径を有する拡張された円筒部分４５４である。
【００３８】
拡張された円筒部分４５４のシャンク部分４５０とは違う反対側の側部に、狭められた円筒部分４６０で終端する円錐台部分４５８がある。狭められた円筒部分４６０に隣接するのは、第二の拡張された円筒部分４６２であり、これは拡張された円筒部分４５４と同一の半径を典型的には有するが、拡張された円筒部分４５４よりも実質的に小さい厚さを典型的には有する。内側の本体ピン４３０は、プラグピンの係合表面４６６を定義する円錐台部分４６４で成端する。
【００３９】
内側のプラグピン４４６はシャンク部分４７０を好ましくは備え、これはキー溝１６に面するその一端部に円錐台ヘッド４７２を有する。シャンク部分４７０の反対側の端部に形成されているのは、拡張された円筒部分４７４であり、外側のプラグピン４４４の内部の穴４７６のよりもわずかにだけ小さい半径を有している。拡張された円筒部分４７４のシャンク部分４７０とは違う反対側の側部に円錐台部分４７８があり、これは本体ピンの係合表面４８０を定義する。
【００４０】
本発明の好ましい実施形態によれば、一対の相互に離隔される環状凹部４９０は、拡張された円筒部分４７４に隣接する穴４７６の内部に面する壁に形成されているが、拡大された円筒部分４７４と協調するのではない。以下で詳細に記述されるように、これらの凹部は、テレスコーピックプラグピンのアセンブリ４４２をピッキングする困難性を増すのに有効である。
【００４１】
図４Ｂは、図２Ｂに示されているように、第一ピッキングツール９６は、第二ピッキングツール９８がキー溝１６にはまっていて、矢印４９５によって指し示されているようにそれに回転トルクを加え、かくしてプラグに回転トルクを加えている間、外側のプラグピンを上げるために用いられているときの、典型的なピッキング状態を示している。
【００４２】
ピッキングの間の矢印４９５の方向へのプラグ４１４に対するトルクの印加は、プラグ４１４に、矢印４９５によって指し示されているように、そしてＡによって指定されている中心軸４２１の時計回り方向の回転によって指し示されているように、時計回りの方向にわずかに回転することを引き起こすことが図４Ｂにおいて理解される。この回転は、プラグ穴４２０の時計回り方向に面する壁部分４１５と、対応する外側の本体ピン４２４と外側のプラグピン４４４の対応する外側の壁部分４１６と４１７との間に係合を生み出す。この係合は、時計回りの方向にわずかに外側の本体ピン４２４のベース部分４１９を押し、その時計回り方向に面するエッジ４２３に穴４１８の対応する壁部分４２５に係合することを引き起こし、外側の本体ピン４２４の反対向きに面するエッジ４２７と穴４１８の対応する壁部分４２９との間の通常の離隔距離を増加し、しかして、穴４１８に対して外側の本体ピン４２４を傾斜させる。
【００４３】
穴４１８に対する外側の本体ピン４２４の傾斜は、内側の本体ピン４３０に、内部の穴４５６に対して傾斜させられることを引き起こす。同時に、外側のプラグピン４４４を上げることは、第二の拡張された円筒部分４６２および円錐台部分４６４に、外側のプラグピン４４４や内側のプラグピン４３０との相対的な位置次第で、凹部４９０の一又は別のと合わさることを引き起こす。図４Ｂに見られるように、第二の拡張された円筒部分４６２の段部４９２は、凹部４９０の対応する段部４９４に係合する。この係合は、錠をピッキングする人に、プラグ４１４と本体４１０との間のシャーライン４９９に、それぞれの外側の本体ピン４２４と外側のプラグピン４４４との係合表面４４８と４４９を動かしていることを、誤って思い込むことを引き起こす際、役に立つだろう。
【００４４】
円錐台ヘッド４５２は、外側の本体ピン４２４の段部４５３に隣接して位置付けられ、そして段部４５３に載っていることが図４Ｂにおいて理解される。
【００４５】
第一ピッキングツール９６（図２Ｂ）は、第二ピッキングツール９８（図２Ｂ）がキー溝１６にはまり、矢印４９５によって指し示されているように、それに回転トルクを加え、かくしてプラグ４１４に回転トルクを加え続け、Ｂによって指定されている中心軸４２１のさらに時計回り方向の回転によって指し示されているようにプラグ４１４の回転を生み出す間、さらに外側のプラグピン４４４を上げるために用いられている、第二のさらなるピッキング状態を図４Ｃは示している。
【００４６】
外側のプラグピン４４４をさらに上げることは、外側の本体ピン４２４および内側の本体ピン４３０に、内側の本体ピン４３０の円錐台ヘッド４５２と外側の本体ピン４２４の段部４５３との係合のために共に上げられることを引き起こすことが図４Ｃにおいて理解される。しかして、図４Ｃに見られるように、外側の本体ピン４２４と外側のプラグピン４４４との通常接しているそれぞれの係合表面４４８と４４９との間の接合部が、本体４１０とプラグ４１４との間のシャーライン４９９に位置するまで上げられたとき、内側の本体ピン４３０は、シャーライン４９９の橋渡しをし、錠の開錠を防止する。
【００４７】
さらに、図４Ｃに見られるように、ピッキングの間の矢印４９５の方向へのプラグ４１４に対するトルクの継続された印加は、プラグ４１４に、矢印４９５によって指し示されているように時計回りの方向にさらに回転することを引き起こす。プラグ穴４２０の時計回り方向に面している壁部分４１５と外側のプラグピン４４４の対応する外側の壁部分４１７との間の係合の結果、さらに時計回り方向に外側のプラグピン４４４を押し、外側のプラグピン４４４と内側の本体ピン４３０の円筒部分４６０とが係合し、凹部４９０内に内側の本体ピン４３０の拡張された円筒部分４６２が完全にはまった状態をもたらし、その結果、内側の本体ピン４３０の円筒部分４５４を外側の本体ピン４２４によって区画形成される穴４５６の面する壁に接触して時計回り方向に無理やり押すことがもたらされる。従って、様々な内側および外側の本体ピンやプラグピンは、互いから空間に関して、軸に関して、そして角に関してオフセットされ、それらの間の外力による係合によって、一緒に摩擦的に拘束されるばかりでなく、一緒に施錠され、しかしてピッキングをますます困難にすることが理解される。
【００４８】
さらに、参考は図５Ａ、５Ｂおよび５Ｃに作られていて、それらは、それぞれ施錠された状態、そして試みられているピッキングの状態における、本発明の好ましい実施形態に従って構成され、そして作動している、別の様式のテレスコーピックピン機構の断面図である。図５Ａ〜５Ｃに見られるように、テレスコーピックピンのアセンブリ５００は、錠本体５１０の穴５１８およびプラグ５１４の穴５２０に部分的に配置されていることが理解され、キー溝１６へ部分的に延びている。穴５２０の中心軸は、参照番号５２１によって指定されている。
【００４９】
テレスコーピックピンのアセンブリ５００は、テレスコーピック本体ピンのアセンブリ５２２を好ましくは含んでいて、それは部分的に円錐形の外側形状を有する外側の本体ピン５２４を好ましくは備える。外側の本体ピン５２４は、圧縮コイルバネ５２６によってバネの負荷がかけられていて、それはバネシート５２８に取り付けられている。外側の本体ピン５２４の内部に配置されていて、そしてそれに関連して直線的に移動可能であるのは内側の本体ピン５３０であり、これは圧縮コイルバネ５３２によって外側の本体ピン５２４に対してバネの負荷がかけられていて、それは外側の本体ピン５２４のネック部５３４に取り付けられている。
【００５０】
プラグピン穴５２０に配置されているのは、テレスコーピックプラグピンのアセンブリ５４２であり、これは外側のプラグピン５４４を好ましくは備え、外側のプラグピン５４４の内部に配置されていて、それに関して直線的に移動可能であるのは、内側のプラグピン５４６である。外側の本体ピン５２４と外側のプラグピン５４４は、それぞれ通常は接する係合表面５４８および５４９とを好ましくは定義する。
【００５１】
内側の本体ピン５３０は、その一端部に円錐台ヘッド５５２を有するシャンク部分５５０を好ましくは備え、それは外側の本体ピン５２４の対応する段部５５３よりも大きな直径を有するような大きさとされている。シャンク部分５５０の反対側の端部に形成されているのは、外側の本体ピン５２４の内部の穴５５６のよりもわずかにだけ小さい半径を有する拡張された円筒部分５５４である。
【００５２】
拡張された円筒部分５５４のシャンク部分５５０とは違う反対側の側部に、狭められた円筒部分５６０で終端する円錐台部分５５８がある。狭められた円筒部分５６０に隣接するのは、第二の拡張された円筒部分５６２であり、これは拡張された円筒部分５５４と同一の半径を典型的には有するが、拡張された円筒部分５５４よりも実質的に小さい厚さを典型的には有する。内側の本体ピン５３０は、プラグピンの係合表面５６６を定義する円錐台部分５６４で成端する。
【００５３】
内側のプラグピン５４６はシャンク部分５７０を好ましくは備え、これはキー溝１６に面するその一端部に円錐台ヘッド５７２を有する。シャンク部分５７０の反対側の端部に形成されているのは、拡張された円筒部分５７４であり、外側のプラグピン５４４の内部の穴５７６のよりもわずかにだけ小さい半径を有している。拡張された円筒部分５７４のシャンク部分５７０とは違う反対側の側部に円錐台部分５７８があり、これは本体ピンの係合表面５８０を定義する。
【００５４】
本発明の好ましい実施形態によれば、環状凹部５９０は、拡張された円筒部分５７４に隣接する穴５５６の内部に面する壁に形成されているが、拡張された円筒部分５７４と協調するのではない。以下で詳細に記述されるように、この凹部は、テレスコーピックプラグピンのアセンブリ５４２をピッキングする困難性を増すのに有効である。
【００５５】
図５Ｂは、図２Ｂに示されているように、第一ピッキングツール９６は、第二ピッキングツール９８がキー溝１６にはまっていて、矢印５９５によって指し示されているようにそれに回転トルクを加え、かくしてプラグに回転トルクを加えている間、外側のプラグピンを上げるために用いられているときの典型的なピッキング状態を示している。
【００５６】
ピッキングの間の矢印５９５の方向へのプラグ５１４に対するトルクの印加は、プラグ５１４に、矢印５９５によって指し示されているように、そしてＡによって指定されている中心軸５２１の時計回り方向の回転によって指し示されているように、時計回りの方向にわずかに回転することを引き起こすことが図５Ｂにおいて理解される。この回転は、プラグの穴５２０の時計回り方向に面する壁部分５１５と、対応する外側の本体ピン５２４と外側のプラグピン５４４の対応する外側の壁部分５１６と５１７との間に係合を生み出す。この係合は、時計回りの方向にわずかに外側の本体ピン５２４のベース部分５１９を押し、その時計回り方向に面するエッジ５２３に穴５１８の対応する壁部分５２５に係合することを引き起こし、外側の本体ピン５２４の反対向きに面するエッジ５２７と穴５１８の対応する壁部分５２９との間の通常の離隔距離を増加し、しかして、穴５１８に対して外側の本体ピン５２４を傾斜させる。
【００５７】
穴５１８に対する外側の本体ピン５２４の傾斜は、内側の本体ピン５３０に、内部の穴５５６に対して傾斜させられることを引き起こす。同時に、内側のプラグピン５４６を上げることは、拡張された円筒部分５７４および円錐台部分５７８に、凹部５９０と合わさることを引き起こす。図５Ｂに示されているように、拡張された円筒部分５７４の段部５９２は、凹部５９０の対応する段部５９４に係合する。
【００５８】
錠のピッキングは様々な方法においてなされ得、非常に動的であり、様々な状態から任意の一つをもたらし得ることが理解されるだろう。図５Ｂは、可能性のある状態を唯一つ示していて、その状態において内側のプラグピン５４６のピッキングは、拡張された円筒部分５７４と凹部５９０の対応する段部５９４との時計回り方向の係合をもたらし、他の等しい、又はより優勢な状態がピッキングの間起こるだろうことが理解されるだろう。この係合は、錠をピッキングする人に、プラグ５１４と本体５１０との間のシャーライン５９９に、それぞれの外側の本体ピン５２４と外側のプラグピン５４４との係合表面５４８と５４９を動かしていることを、誤って思い込むことを引き起こす際、役に立つだろう。
【００５９】
第一ピッキングツール９６（図２Ｂ）は、第二ピッキングツール９８（図２Ｂ）がキー溝１６にはまり、矢印５９５によって指し示されているように、それに回転トルクを加え、かくしてプラグ５１４に回転トルクを加え続け、Ｂによって指定されている中心軸５２１のさらに時計回り方向の回転によって指し示されているようにプラグ５１４の回転を生み出す間、さらに外側のプラグピン５４４を上げるために用いられている、第二のさらなるピッキング状態を図５Ｃは示している。
【００６０】
拡張された円筒部分５７４の段部５９２と、凹部５９０の対応する段部５９４との係合のために、外側のプラグピン５４４をさらに上げることは、外側の本体ピン５２４、内側の本体ピン５３０および内側のプラグピン５４６に、共に上げられることを引き起こし、しかして、内側の本体ピン５３０と内側のプラグピン５４６のそれぞれの係合表面５６６と５８０との接合部と、外側の本体ピン５２４と外側のプラグピン５４４のそれぞれの係合表面５４８と５４９との接合部は、同時にプラグ５１４と本体５１０との間のシャーライン５９９に位置付けられることが防止されることが、図５Ｃにおいて理解される。しかして、図５Ｃに見られるように、外側の本体ピン５２４と外側のプラグピン５４４との通常接しているそれぞれの係合表面５４８と５４９との間の接合部は、本体５１０とプラグ５１４との間のシャーライン５９９に位置するために上げられているとき、内側のプラグピン５４６は、シャーライン５９９の橋渡しをし、錠の開錠を防止する。
【００６１】
さらに、図５Ｃに見られるように、ピッキングの間の矢印５９５の方向へのプラグ５１４に対するトルクの継続された印加は、プラグ５１４に、矢印５９５によって指し示されているように時計回りの方向にさらに回転することを引き起こす。プラグ穴５２０の時計回り方向に面している壁部分５１５と外側のプラグピン５４４の対応する外側の壁部分５１７との間の係合の結果、さらに時計回りの方向に外側のプラグピン５４４を押し、凹部５９０内に内側のプラグピン５４６の拡張された円筒部分５７４が完全にはまった状態をもたらし、その結果、外側の本体ピン５２４のベース部分５１９を本体５１０によって区画形成される穴５１８の面する壁に接触して時計回り方向に無理やり押すことがもたらされる。従って、様々な内側および外側の本体ピンやプラグピンは、互いから空間に関して、軸に関して、そして角に関してオフセットされ、それらの間の外力による係合によって、一緒に摩擦的に拘束されるばかりでなく、一緒に施錠され、しかしてピッキングをますます困難にすることが理解される。
【００６２】
本発明が、以上に特に示されたおよび記述された事項によって限定されないことは、当業者によって理解されるだろう。それどころか、本発明の範囲は、明細書を読む際に当業者が思いつく、そして従来技術でない修正や変更ばかりでなく、以上に記述された様々な特徴の組合せおよび副結合の両方を含む。
【図面の簡単な説明】
【００６３】
【図１Ａ】施錠されていて、作動している状態における、本発明の好ましい実施形態に従って構成されたおよび作動しているシリンダ錠の断面図である。
【図１Ｂ】開錠されていて、作動している状態における、本発明の好ましい実施形態に従って構成されたおよび作動しているシリンダ錠の断面図である。
【図２Ａ】図１Ａおよび図１Ｂの錠がピッキングされているところの図であり、断面図である。
【図２Ｂ】図１Ａおよび図１Ｂの錠がピッキングされているところの図であり、図２Ａにおいて矢印ＩＩに従った部分端面図であり、また図２ＡにおいてＩＩＢ−ＩＩＢ線に沿った部分断面図である。
【図３Ａ】施錠されている状態における、本発明の好ましい実施形態に従って構成されたおよび作動している第一の様式のテレスコーピックピンのアレンジメントの図１ＡにおけるＩＩＩ−ＩＩＩ線に沿った断面図である。
【図３Ｂ】第一の試みられているピッキング状態における、本発明の好ましい実施形態に従って構成されたおよび作動している第一の様式のテレスコーピックピンのアレンジメントの図１ＡにおけるＩＩＩ−ＩＩＩ線に沿った断面図である。
【図３Ｃ】第二の試みられているピッキング状態における、本発明の好ましい実施形態に従って構成されたおよび作動している第一の様式のテレスコーピックピンのアレンジメントの図１ＡにおけるＩＩＩ−ＩＩＩ線に沿った断面図である。
【図４Ａ】施錠されている状態における、本発明の好ましい実施形態に従って構成されたおよび作動している第二の様式のテレスコーピックピンのアレンジメントの図１ＡにおけるＩＶ−ＩＶ線に沿った断面図である。
【図４Ｂ】第一の試みられているピッキング状態における、本発明の好ましい実施形態に従って構成されたおよび作動している第二の様式のテレスコーピックピンのアレンジメントの図１ＡにおけるＩＶ−ＩＶ線に沿った断面図である。
【図４Ｃ】第二の試みられているピッキング状態における、本発明の好ましい実施形態に従って構成されたおよび作動している第二の様式のテレスコーピックピンのアレンジメントの図１ＡにおけるＩＶ−ＩＶ線に沿った断面図である。
【図５Ａ】施錠されている状態における、本発明の好ましい実施形態に従って構成されたおよび作動している第三の様式のテレスコーピックピンのアレンジメントの図１ＡにおけるＶ−Ｖ線に沿った断面図である。
【図５Ｂ】第一の試みられているピッキング状態における、本発明の好ましい実施形態に従って構成されたおよび作動している第三の様式のテレスコーピックピンのアレンジメントの図１ＡにおけるＶ−Ｖ線に沿った断面図である。
【図５Ｃ】第二の試みられているピッキング状態における、本発明の好ましい実施形態に従って構成されたおよび作動している第三の様式のテレスコーピックピンのアレンジメントの図１ＡにおけるＶ−Ｖ線に沿った断面図である。
【図１Ａ】
2005530072.tif 000003
【図１Ｂ】
2005530072.tif 000004
【図２Ａ】
2005530072.tif 000005
【図２Ｂ】
2005530072.tif 000006
【図３Ａ】
2005530072.tif 000007
【図３Ｂ】
2005530072.tif 000008
【図３Ｃ】
2005530072.tif 000009
【図４Ａ】
2005530072.tif 000010
【図４Ｂ】
2005530072.tif 000011
【図４Ｃ】
2005530072.tif 000012
【図５Ａ】
2005530072.tif 000013
【図５Ｂ】
2005530072.tif 000014
【図５Ｃ】
2005530072.tif 000015
【国際調査報告】
2005530072.tif 000016
2005530072.tif 000017
2005530072.tif 000018
2005530072.tif 000019